(57)【要約】【課題】発光素子より出射される光を外部に均一にかつ効率良く放射することができるとともに、発光素子を長期間にわたり安定かつ正常に動作させ得る発光素子収納用パッケージおよび発光装置を提供すること。【解決手段】上面の中央部に発光素子４を搭載する搭載部２ａを有するとともにこの搭載部２ａを取り囲むように形成された突条部２ｂを有する基体２と、この基体２の側面に搭載部２ａおよび突条部２ｂを取り囲むようにして内周面の下端部が全周にわたって接着剤５により接合された枠体３とを具備している。【選択図】  図１
2004327564.tif 000002
【特許請求の範囲】
【請求項１】
上面の中央部に発光素子を搭載する搭載部を有するとともに該搭載部を取り囲むように形成された突条部を有する基体と、該基体の側面に前記搭載部および前記突条部を取り囲むようにして内周面の下端部が全周にわたって接着剤により接合された枠体とを具備していることを特徴とする発光素子収納用パッケージ。
【請求項２】
前記発光素子は紫外光を含む波長領域の光を発光するものであり、前記接着剤は樹脂接着剤から成ることを特徴とする請求項１記載の発光素子収納用パッケージ。
【請求項３】
請求項１または請求項２記載の発光素子収納用パッケージと、前記搭載部に搭載された発光素子と、前記枠体の上面に取着された透光性蓋体とを具備していることを特徴とする発光装置。
【発明の詳細な説明】
【０００１】
【発明の属する技術分野】
本発明は、発光素子を収容するための発光素子収納用パッケージおよび発光装置に関する。
【０００２】
【従来の技術】
発光ダイオード（ＬＥＤ），半導体レーザ（ＬＤ）等の発光素子を用いた発光装置は、今後さらなる低消費電力化や長寿命化がすすむものとして注目されており、近年種々の分野で使用され始めている。従来の発光素子を搭載する発光素子収納用パッケージ（以下、単にパッケージともいう）の断面図を図７に示す。
【０００３】
図７に示すように、従来のパッケージ１１は、上面の中央部に発光素子１４を搭載するための搭載部１２ａを有する各種の樹脂やセラミックス等から成る基体１２を有する。そして、基体１２がセラミックスから成る場合、その表面や内部にタングステン（Ｗ）やモリブデン（Ｍｏ）、マンガン（Ｍｎ）等を含む導電ペーストを高温で焼結し、その上面にメッキ法によりニッケル（Ｎｉ）メッキ層や金（Ａｕ）メッキ層を被着して成る配線導体１２ｃが形成されている。また、基体１２が樹脂から成る場合、銅（Ｃｕ）や鉄（Ｆｅ）−ニッケル（Ｎｉ）合金等から成るリード端子等の配線導体１２ｃが、モールド成型等によって形成された基体１２の内部にその一部が埋設されて固定されている。そして、パッケージ１１は、これらの配線導体１２ｂを介して、外部からパッケージ１１内部に搭載された発光素子１４に電力や駆動電流が供給される。
【０００４】
また基体１２は、その上面の外周部に搭載部１２ａを取り囲むように、各種樹脂やセラミックスから成る平面視形状が円形または四角形の枠体１３が設けられている。このような枠体１３は、基体１２上面の外周部に７００〜９００℃の融点を有する銀（Ａｇ）−Ｃｕ等のロウ材、各種樹脂接着剤、低融点ガラス（ガラスフリット）等により固定される。
【０００５】
発光素子１４は、基体１２の搭載部１２ａに銀（Ａｇ）ペーストや樹脂接着剤から成る接着剤で取着され、発光素子１４の電極が基体１２に設けられた配線導体１２ｂにボンディングワイヤ１６により電気的に接合される。しかる後、発光素子１４の周囲や表面を蛍光体を混入した樹脂またはガラスから成る波長変換部材（図示せず）で被覆した後に、枠体１３の内側にエポキシ樹脂やシリコーン樹脂等の透明樹脂（図示せず）を発光素子１４やボンディングワイヤ１６を覆うように充填し熱硬化させる。これにより、発光素子１４からの光を蛍光体により波長変換し所望の波長スペクトルを有する光を取り出すことができる。そして、枠体１３の上面に光学レンズの機能を有するホウ硅酸ガラス、石英ガラス、サファイアまたは透明性樹脂等から成る透光性蓋体１７を半田や樹脂接着剤等で取着して発光装置となる。
【０００６】
この発光装置は、外部電気回路から供給される駆動電流によって発光素子１４が起動されて発光し、各種インジケーター，光センサー，ディスプレイ，ホトカプラ，バックライト，光プリンタヘッド等の用途に用いられる。
【０００７】
近年、この発光装置を照明用として使用するようになってきており、高輝度および放熱性の点でより高特性の発光装置が要求されている。また、照明用に使用される場合、発光装置の長寿命化が特に重要な問題である。
【０００８】
【特許文献１】
特開２００２−３４４０２９号公報
【０００９】
【発明が解決しようとする課題】
しかしながら、上記従来のパッケージ１１において、基体１２と枠体１３とを接着剤１５を用いて接着すると、発光素子１４より出射される光が、接着剤１５に吸収されたり、接着剤１５を透過してパッケージ１１の外部に漏れ出たりするため、パッケージ１１の上側に効率よく反射されずに、発光装置の輝度や光度が著しく低下するという問題があった。
【００１０】
また、接着剤１５がパッケージ１１の内側にはみ出した部位で光が乱反射するため、発光装置から放射される光が均一な強度とならず斑を生じるという問題点も有していた。
【００１１】
さらに、発光素子１４より出射される光の波長帯域が４００ｎｍ以下の紫外光領域となると、基体１２と枠体１３とを接合するエポキシ樹脂等の樹脂から成る接着剤１５が、発光素子１４の紫外光によって接着剤１５が劣化し、接着強度が著しく低下するとともに耐湿性も低下するという問題があった。その結果、照明用の光源として一般的に要求される発光装置の寿命である４万時間以上の長期的な信頼性の確保が困難であった。
【００１２】
本発明は、かかる従来の問題に鑑み完成されたものであり、その目的は、発光素子が出射する光を発光素子収納用パッケージの枠体の内面や基体の上面で良好に反射させて外部に均一に効率よく放出させるとともに、紫外光による接着剤の接着強度や耐湿性の劣化を抑制することにより、長期間にわたり正常かつ安定して発光させることができる、発光効率の極めて高い発光素子収納用パッケージおよび発光装置を提供することにある。
【００１３】
【課題を解決するための手段】
本発明の発光素子収納用パッケージは、上面の中央部に発光素子を搭載する搭載部を有するとともに該搭載部を取り囲むように形成された突条部を有する基体と、該基体の側面に前記搭載部および前記突条部を取り囲むようにして内周面の下端部が全周にわたって接着剤により接合された枠体とを具備していることを特徴とする。
【００１４】
本発明の発光素子収納用パッケージは、上面の中央部に発光素子を搭載する搭載部を有するとともにこの搭載部を取り囲むように形成された突条部を有する基体と、この基体の側面に搭載部および突条部を取り囲むようにして内周面の下端部が全周にわたって接着剤により接合された枠体とを具備していることにより、発光素子から接着剤に直接照射される光を突条部によって有効に遮断でき、発光素子の光が接着剤に吸収されたり、接着剤を透過して発光素子収納用パッケージの外部へ漏れ出したりして生じる光損失を有効に抑制することができる。その結果、発光素子収納用パッケージの上側に発光素子の光を効率よく放射することができる。
【００１５】
また、突条部によって接着剤に入射される光を遮断することにより、接着剤における光の乱反射を有効に抑制して基体の上面や枠体の内面で反射される光を斑のない均一なものとすることができる。
【００１６】
さらに、突条部が発光素子に接近しているため、発光素子から出射された光が短い距離で短時間のうちに突条部に到達し、この突条部で反射して発光素子収納用パッケージの上側に放射されるため、発光素子収納用パッケージの内部を光が進む間に生じる光損失を非常に小さくすることができ、発光効率を極めて高くすることができる。
【００１７】
また、従来は枠体の下面を基体の上面に取着しており、接着剤層が基体の主面に平行に設けられていたため、発光素子から出射された光が直接接着剤に入り込み外部に漏れ易かったのに対し、基体の側面に枠体の内周面を取着しているので、接着剤層が基体の主面に直交する方向に形成され、発光素子から出射された光が直接接着剤層に入射され難くなり、接着剤によって生じる光損失を有効に抑制することができる。
【００１８】
本発明の発光素子収納用パッケージにおいて、好ましくは、前記発光素子は紫外光を含む波長領域の光を発光するものであり、前記接着剤は樹脂接着剤から成ることを特徴とする。
【００１９】
本発明の発光素子収納用パッケージは、上記構成のパッケージにおいて、発光素子は紫外光を含む波長領域の光を発光するもの、例えば蛍光体によってカラー表示することが可能なものであり、接着剤は樹脂接着剤から成る場合、発光素子から出射される光が樹脂を劣化させ易い４００ｎｍ以下の波長の紫外光を含んだものであっても、接着剤へ直接入射する光を有効に遮断するとともに、たとえ接着剤の上端に光が入射しても接着剤の内部へは入り込み難くなる。これにより、紫外光によって樹脂から成る接着剤が劣化するのを有効に抑制することができる。その結果、接着剤の接着強度が低下するのを効果的に抑制し、照明用の光源としての発光装置に対して一般的に要求される４万時間以上もの寿命を有するものとでき、長期的な発光の信頼性を確保できる。
【００２０】
本発明の発光装置は、上記構成の発光素子収納用パッケージと、前記搭載部に搭載された発光素子と、前記枠体の上面に取着された透光性蓋体とを具備していることを特徴とする。
【００２１】
本発明の発光装置は、上記の構成により、発光素子から出射された光エネルギーを発光素子収納用パッケージの枠体の内周面や基体の上面で効率よく反射させ、発光素子収納用パッケージの上側へ極めて効率よく光エネルギーを放出することができるとともに透光性蓋体に光学レンズ機能を付加することにより、発光素子収納用パッケージの外部に任意の角度で光を放射することができる。さらに、上記本発明の発光素子収納用パッケージを用いた長期間にわたり正常かつ安定して発光することのできる発光効率の極めて高い発光装置を提供できる。
【００２２】
【発明の実施の形態】
本発明の発光素子収納用パッケージについて以下に詳細に説明する。図１，図３，図４，図５は、本発明のパッケージの実施形態の各種例を示す断面図であり、図２は図１の下面図である。そして、２は基体、３は枠体であり、主としてこれらで発光素子４を収容するためのパッケージ１が構成されている。
【００２３】
本発明における基体２は、可視光領域において反射率が高い、Ａｕ，Ａｇ，アルミニウム（Ａｌ），表面にＡｕやＡｇ等のメッキ膜が形成されたＦｅ−Ｎｉ−コバルト（Ｃｏ）合金，Ｆｅ−Ｎｉ合金等の金属、もしくは、酸化アルミニウム質焼結体（アルミナセラミックス），窒化アルミニウム質焼結体，ムライト質焼結体，ガラスセラミックス等のセラミックスから成る。また、基体２は発光素子４を支持する支持部材として機能し、その上面に発光素子４を搭載するための搭載部２ａを有している。
【００２４】
また、基体２は、その上面に搭載部２ａを取り囲むように突条部２ｂが形成されている。さらに、基体２の側面には、枠体３が搭載部２ａおよび突条部２ｂを取り囲むようにして接着剤５により接合されている。
【００２５】
これにより、発光素子４から接着剤５に直接照射される光を突条部２ｂによって有効に遮断でき、発光素子４の光が接着剤５に吸収されたり、接着剤５を透過してパッケージ１の外部へ漏れ出したりして生じる光損失を有効に抑制することができる。その結果、パッケージ１の上側に発光素子４の光を効率よく放射することができる。
【００２６】
また、突条部２ｂによって接着剤５に入射される光を遮断することにより、接着剤５における光の乱反射を有効に抑制して基体２の上面や枠体３の内面で反射される光を斑のない均一なものとすることができる。
【００２７】
さらに、突条部２ｂが発光素子４に接近しているため、発光素子４から出射された光が短い距離で短時間のうちに突条部２ｂに到達し、この突条部２ｂで反射してパッケージ１の上側に放射されるため、パッケージ１の内部を光が進む間に生じる光損失を非常に小さくすることができ、発光効率を極めて高くすることができる。
【００２８】
また、従来は枠体３の下面を基体２の上面に取着しており、接着剤５層が基体２の主面に平行に設けられていたため、発光素子４から出射された光が直接接着剤５に入り込み外部に漏れ易かったのに対し、基体２の側面に枠体３の内周面を取着しているので、接着剤５層が基体２の主面に直交する方向に形成され、発光素子４から出射された光が直接接着剤５層に入射され難くなり、接着剤５によって生じる光損失を有効に抑制することができる。
【００２９】
上記構成のパッケージ１において、発光素子４は紫外光を含む波長領域の光を発光するもの、例えば蛍光体によってカラー表示することが可能なものであり、接着剤５は樹脂接着剤から成る場合、発光素子４から出射される光が樹脂を劣化させ易い４００ｎｍ以下の波長の紫外光を含んだものであっても、接着剤５へ直接入射する光を有効に遮断するとともに、たとえ接着剤５の上端に光が入射しても接着剤５の内部へは入り込み難くなる。これにより、紫外光によって樹脂から成る接着剤５が劣化するのを有効に抑制することができる。その結果、接着剤５の接着強度が低下するのを効果的に抑制し、照明用の光源としての発光装置に対して一般的に要求される４万時間以上もの寿命を有するものとでき、長期的な発光の信頼性を確保できる。
【００３０】
なお、突条部２ｂは、その内周面を図３に示すように突条部２ｂの内側から外側にかけて厚みが大きくなるように傾斜させることが好ましい。これにより、突条部２ｂの内側に収容された発光素子４の光を傾斜した突条部２ｂの内周面で上側に反射させることにより、パッケージ１外部へ発光素子４の光軸に対して２０度以内の範囲で良好に放射することができる。その結果、本発明のパッケージ１を使用した発光装置の輝度を極めて高いものとすることができる。
【００３１】
また突条部２ｂは、基体２の上面の外周部に設けられているとともに突条部２ｂの上端部が外側、即ち搭載部２ａに対して反対側に延出しているのがよい。これにより、枠体３を接着剤５で基体２の側面に取着した際、接着剤５に対して載置部２ａ側および上側を突条部２ｂで覆うことができ、発光素子４から出射される光が接着剤５に入るのをより有効に遮断することができる。
【００３２】
このような枠体３は、基体２と同様に可視光領域において反射率が高い、Ａｕ，Ａｇ，アルミニウム（Ａｌ），表面にＡｕやＡｇ等のメッキ膜が形成されたＦｅ−Ｎｉ−コバルト（Ｃｏ）合金，Ｆｅ−Ｎｉ合金等の金属、もしくは、酸化アルミニウム質焼結体（アルミナセラミックス），窒化アルミニウム質焼結体，ムライト質焼結体，ガラスセラミックス等のセラミックスから成る。
【００３３】
例えば、基体２および枠体３が金属から成る場合、接着剤５をガラスや樹脂等の電気絶縁性のもので形成して基体２と枠体３とを電気的に絶縁し、図１に示すように、発光素子４の電極と基体２および枠体３とをボンディングワイヤ６で電気的に接続し、そして、基体２および枠体３を外部電気回路基板の電気回路にそれぞれ接続することにより、基体２および枠体３を配線導体として機能させて発光素子４と外部電気回路基板とを電気的に接続することができる。これにより、配線導体として機能する基体２および枠体３を外部電気回路基板に大きな面積で接続することができ、これらの接続部を、接続強度の大きなものとすることができるとともに抵抗を非常に小さくすることができる。
【００３４】
なお、金属から成る基体２の熱伝導率は１２０Ｗ／ｍ・Ｋ以上が好ましく、１２０Ｗ／ｍ・Ｋ未満では、１００ｍＡ以上の駆動電流を入力した場合に発光素子４の表面温度が１００℃以上になり、発光素子４の寿命が劣化し易くなるとともに、発光素子４の光出力を上げるのが困難になる。
【００３５】
また、基体２がセラミックスから成り、枠体３が金属から成る場合、図４に示すように、基体２の表面や内部にタングステン（Ｗ），モリブデン（Ｍｏ），マンガン（Ｍｎ）等から成るメタライズ層等の配線導体２ｃを形成し、発光素子４の電極と配線導体２ｃ、および発光素子４の電極と枠体３とをボンディングワイヤ６でそれぞれ接続することにより、発光素子４と外部電気回路基板との電気的な接続を行なうことができる。なお、配線導体２ｃの外表面に耐蝕性に優れかつロウ材に対して濡れ性が良好な金属層、例えば、厚さ１．５〜６μｍのＮｉメッキ層と厚さ０．２〜５μｍのＡｕメッキ層を順次被着させておくと、配線導体２ｃが酸化腐食するのを有効に防止できる。
【００３６】
また、枠体３がセラミックスから成る場合、図５に示すように、枠体３の表面や内部にタングステン（Ｗ），モリブデン（Ｍｏ），マンガン（Ｍｎ）等から成るメタライズ層等の配線導体３ａを形成し、発光素子４の電極と枠体３の配線導体３ａ、および発光素子４の電極と基体２（あるいは発光素子４の電極と基体２に形成した配線導体２ｃ）とをボンディングワイヤ６で接続することにより、発光素子４と外部電気回路基板との電気的な接続を行なうことができる。なお、配線導体３ａの外表面に耐蝕性に優れかつロウ材に対して濡れ性が良好な金属層、例えば、厚さ１．５〜６μｍのＮｉメッキ層と厚さ０．２〜５μｍのＡｕメッキ層を順次被着させておくと、配線導体３ａが酸化腐食するのを有効に防止できる。
【００３７】
基体２や枠体３がセラミックスから成る場合、その原料粉末に適当な有機バインダや溶剤等を添加混合しペースト状と成すとともに、このペーストをドクターブレード法やカレンダロール法によってセラミックグリーンシートと成し、しかる後セラミックグリーンシートに適当な打ち抜き加工を施し、これを複数枚積層し約１６００℃の高温度で焼成することによって作製される。
【００３８】
また、基体２や枠体３が金属から成る場合、金属のインゴットに切削加工、圧延加工や打ち抜き加工等の従来周知の金属加工を施すことによって所望の形状が形成される。
【００３９】
枠体３の内周部は、その平面視形状が円形状や四角形状等の種々の形状とすることができ、特にその平面視形状を円形とすることが好ましい。これにより、発光素子４の光エネルギーを枠体３の内周面で満遍なく反射させ、パッケージ１の外部へ極めて均一に光エネルギーを放出することができる。
【００４０】
また、枠体３の内周面の算術平均粗さＲａは０．００４〜４μｍが好ましい。４μｍを超えると、枠体３に収容された発光素子４の光を均一に反射することが困難になり、反射する光の強さに偏りが発生しやすくなる。０．００４μｍ未満であると、そのような平滑な面を安定かつ効率よく形成することが困難となる。枠体３の内周面のＲａを上記の範囲とするには、枠体３が金属から成る場合、従来周知の化学エッチング法や切削加工方法により加工することができる。また、金型の面精度を利用した転写加工による方法を用いてもよい。
【００４１】
さらに枠体３は、円筒状あるいは図１〜５に示すように下端の内周面が内側に突出した円筒状である。特に接着剤５を搭載部２ａにより近づけて接着剤５を突状部２ｂでより有効に遮光するという観点からは、下端の内周面が内側に突出した円筒状であるのがよい。
【００４２】
そして、枠体３は、２５０℃以上の高融点で溶融するガラス、熱硬化性のエポキシ樹脂等の樹脂接着剤、セラミックス粉末が混入された樹脂接着剤等の接着剤５で基体２の側面に搭載部２ａを取り囲むように取着される。
【００４３】
また、透光性蓋体７はガラス、サファイア、石英、または、エポキシ樹脂やアクリル樹脂等の樹脂（プラスチック）などの透光性材料から成り、枠体３内側に設置された、発光素子４、ボンディングワイヤ６、発光素子４を保護するとともに、パッケージ１内部を気密に封止する。また、透光性蓋体７をレンズ状にして光学レンズの機能を付加することによって、発光素子４の光を集光または分散させて所望の放射角度、強度分布で発光素子４の光をパッケージ１外部に取り出すことができる。
【００４４】
なお、光の放射角度とは、発光素子４から出射される光ビームの光軸方向への広がりを示す角度であり、光ビームの光軸方向に垂直な断面が円形状であれば放射角度は一定であり、光ビームの光軸方向に垂直な断面が楕円形状等の偏りがある場合は放射角度はその最大の角度である。
【００４５】
このようなパッケージ１の基体２の搭載部２ａ上に、発光素子４をＡｇペースト等の導電ペーストやセラミックス粉末が混入された樹脂接着剤、エポキシ樹脂等から成る樹脂接着剤等を介して搭載するとともに発光素子４の電極と基体２とをボンディングワイヤ６を介して電気的に接続し、他方の発光素子４の電極を枠体３にボンディングワイヤ６を介して接続し、しかる後、発光素子４が収納された枠体３内部に透明な封止樹脂を充填して発光素子４を被覆し、発光素子４から出射される光ビームの光軸上に位置するように透光性蓋体７を枠体３の上面に接着剤等で取着することによって発光装置となる。
【００４６】
なお、本発明は、上記の実施の形態例に限定されるものではなく、本発明の要旨を逸脱しない範囲内で種々の変更を行うことは何等支障ない。例えば、突条部２ｂは、基体２と一体に形成されていてもよく、図６に示すように基体２の上面に突条部２ｂを接着剤等で取着してもよい。このように突条部２ｂを基体２に取着する場合、突条部２ｂとして可視光領域における反射率が高い環状の金属や、金属層を被着した環状のセラミックス、金属層を被着した環状の樹脂等を用いることで、本発明のパッケージと同等の効果が得られる。
【００４７】
【発明の効果】
本発明の発光素子収納用パッケージは、上面の中央部に発光素子を搭載する搭載部を有するとともにこの搭載部を取り囲むように形成された突条部を有する基体と、この基体の側面に搭載部および突条部を取り囲むようにして内周面の下端部が全周にわたって接着剤により接合された枠体とを具備していることにより、発光素子から接着剤に直接照射される光を突条部によって有効に遮断でき、発光素子の光が接着剤に吸収されたり、接着剤を透過して発光素子収納用パッケージの外部へ漏れ出したりして生じる光損失を有効に抑制することができる。その結果、発光素子収納用パッケージの上側に発光素子の光を効率よく放射することができる。
【００４８】
また、突条部によって接着剤に入射される光を遮断することにより、接着剤における光の乱反射を有効に抑制して基体の上面や枠体の内面で反射される光を斑のない均一なものとすることができる。
【００４９】
さらに、突条部が発光素子に接近しているため、発光素子から出射された光が短い距離で短時間のうちに突条部に到達し、この突条部で反射して発光素子収納用パッケージの上側に放射されるため、発光素子収納用パッケージの内部を光が進む間に生じる光損失を非常に小さくすることができ、発光効率を極めて高くすることができる。
【００５０】
また、従来は枠体の下面を基体の上面に取着しており、接着剤層が基体の主面に平行に設けられていたため、発光素子から出射された光が直接接着剤に入り込み外部に漏れ易かったのに対し、基体の側面に枠体の内周面を取着しているので、接着剤層が基体の主面に直交する方向に形成され、発光素子から出射された光が直接接着剤層に入射され難くなり、接着剤によって生じる光損失を有効に抑制することができる。
【００５１】
本発明の発光素子収納用パッケージは、上記構成のパッケージにおいて、発光素子は紫外光を含む波長領域の光を発光するもの、例えば蛍光体によってカラー表示することが可能なものであり、接着剤は樹脂接着剤から成る場合、発光素子から出射される光が樹脂を劣化させ易い４００ｎｍ以下の波長の紫外光を含んだものであっても、接着剤へ直接入射する光を有効に遮断するとともに、たとえ接着剤の上端に光が入射しても接着剤の内部へは入り込み難くなる。これにより、紫外光によって樹脂から成る接着剤が劣化するのを有効に抑制することができる。その結果、接着剤の接着強度が低下するのを効果的に抑制し、照明用の光源としての発光装置に対して一般的に要求される４万時間以上もの寿命を有するものとでき、長期的な発光の信頼性を確保できる。
【００５２】
本発明の発光装置は、上記構成の発光素子収納用パッケージと、搭載部に搭載された発光素子と、枠体の上面に取着された透光性蓋体とを具備したことにより、発光素子から出射された光エネルギーを発光素子収納用パッケージの枠体の内周面や基体の上面で効率よく反射させ、発光素子収納用パッケージの上側へ極めて効率よく光エネルギーを放出することができるとともに透光性蓋体に光学レンズ機能を付加することにより、発光素子収納用パッケージの外部に任意の角度で光を放射することができる。さらに、上記本発明の発光素子収納用パッケージを用いた長期間にわたり正常かつ安定して発光することのできる発光効率の極めて高い発光装置を提供できる。
【図面の簡単な説明】
【図１】本発明の発光素子収納用パッケージについて実施の形態の一例を示す断面図である。
【図２】図１の発光素子収納用パッケージの下面図である。
【図３】本発明の発光素子収納用パッケージについて実施の形態の他の例を示す断面図である。
【図４】本発明の発光素子収納用パッケージについて実施の形態の他の例を示す断面図である。
【図５】本発明の発光素子収納用パッケージについて実施の形態の他の例を示す断面図である。
【図６】本発明の発光素子収納用パッケージについて実施の形態の他の例を示す断面図である。
【図７】従来の発光素子収納用パッケージの断面図である。
【符号の説明】
１：発光素子収納用パッケージ
２：基体
２ａ：搭載部
３：枠体
４：発光素子
５：接着剤
６：ボンディングワイヤ
７：透光性蓋体
【図１】
2004327564.tif 000003
【図２】
2004327564.tif 000004
【図３】
2004327564.tif 000005
【図４】
2004327564.tif 000006
【図５】
2004327564.tif 000007
【図６】
2004327564.tif 000008
【図７】
2004327564.tif 000009